(57)【特許請求の範囲】
【請求項１】
回転可能に軸支されると共に、軸線方向に移動可能に支持された操作軸と、
前記操作軸の回転方向の動作により摺動子片が摺接する導体パターンと、
前記摺動子片か前記導体パターンのどちらか一方を設けたケーシングと、
前記操作軸に嵌合固定、あるいは一体に形成された駆動体と、
前記駆動体とスプライン結合され、前記摺動子片か前記導体パターンのうちの他方を設けた受け部と、
前記操作軸の軸線方向の操作によって動作させられるプッシュオンスイッチと、
前記プッシュオンスイッチと前記駆動体間に介在し、前記操作軸を初期位置方向に付勢する戻し部材とを備え、
前記受け部には前記駆動体が挿通される貫通孔が形成され、該貫通孔は、該貫通孔の上部内周に軸方向に沿って断面が凹状のスプライン溝が形成されたスプライン溝の形成範囲部と、該貫通孔の下部に設けられ前記戻し部材を収納する収納凹部からなり、
前記駆動体の外周には前記貫通孔のスプライン溝と係合するように突出したスプライン刃部が形成され、
前記戻し部材の上端部を前記貫通孔のスプライン溝の形成範囲部より小径とし、
前記操作軸の非押し込み時には、前記受け部の前記収納凹部に収納された前記戻し部材はその上端位置の高さが前記貫通孔の前記スプライン溝の形成範囲部内となるようにしたことを特徴とするプッシュオンスイッチ付き回転操作型電子部品。
【請求項２】
請求項１記載において、前記ケーシングの中央にプッシュオンスイッチ用の固定接点を一体に形成したことを特徴とするプッシュオンスイッチ付き回転操作型電子部品。
【請求項３】
請求項１の記載において、前記戻し部材は円筒状外周縁部が前記ケーシングの円形凹段に嵌め込まれた略円錐形状のゴムラバーからなることを特徴とするプッシュオンスイッチ付き回転操作型電子部品。
【請求項４】
請求項１の記載において、前記ケーシングに前記摺動子片を一体に形成したことを特徴とするプッシュオンスイッチ付き回転操作型電子部品。
【発明の詳細な説明】
【０００１】
【発明の属する技術分野】
本発明は、操作軸の軸線方向の操作によって動作させられるプッシュオンスイッチを有し、前記操作軸の回転方向の動作により、前記摺動子片と前記導体パターンが摺接するようにしたプッシュオンスイッチ付き回転操作型電子部品に関する。
【０００２】
【従来の技術】
操作軸の軸線方向の操作によってプッシュオンスイッチ（もしくはプッシュスイッチ）をオンオフ動作させ、一方、操作軸の回転方向の動作により、エンコーダ等の摺動子片と導体パターンが摺接するようにしたプッシュオンスイッチ付き回転操作型電子部品は、例えば、実開平３−３０７０２号公報に開示されている。
図１２はこの従来のプッシュオンスイッチ付き回転操作型電子部品の全体構成を示す縦断面図である。
この図１２において、６１は回転自在で軸方向に移動自在に支持されている回転軸、６２は回転軸６１の上部を突出させて収納するケース、６３は回転軸６１の下部にスプライン結合された摺動型物、６４は摺動型物６３の下面に取り付けられた摺動子片、６５は摺動子片６４が摺接される導電パターン、６６は導電パターン６５が形成された基板、６７は回転軸６１の上下動によってその下端部でオンオフ動作される押釦スイッチ、６８は押釦スイッチ６７のドーム型ゴムラバー、６９はドーム型ゴムラバー６８の内底面に形成された可動接点、７０は可動接点６９が離接される固定接点、７１は固定接点７０が形成された基板、７２はこれらの各部材を一体化している取付板である。
これらの回転軸６１、摺動型物６３、摺動子片６４、導電パターン６５、及び基板６６等のブロックによって例えば回転操作型のエンコーダが構成され、また、回転軸６１、押釦スイッチ６７のブロックによって押釦スイッチ（プッシュオンスイッチ）が構成されている。
【０００３】
【発明が解決しようとする課題】
上述したように、従来のプッシュオンスイッチ付き回転操作型電子部品では、エンコーダ等の回転操作型電子部品の下方に押釦スイッチが積層された２連形状になっているので、回転軸６１の軸線方向での各ブロックの厚みがプラスされ、装置全体の厚さが厚くなっていた。
【０００４】
本発明の第１の課題は、受け部の収納部に戻し部材を収納して、操作軸方向の厚みを薄くして装置全体の薄型化を図ることができるプッシュオンスイッチ付き回転操作型電子部品を提供することである。
【０００５】
本発明の第２の課題は、受け部の収納部に戻し部材を収納に加え、更にケーシングにプッシュオンスイッチ用の固定接点も一体成形して、操作軸方向の厚みを更に薄くして装置全体の一層の薄型化を図ることができ、更に部品点数を削減しかつ組込工程も簡略化できるプッシュオンスイッチ付き回転操作型電子部品を提供することである。
【０００６】
本発明の第３の課題は、受け部の操作軸方向の厚みを薄くして装置全体の薄型化を図ることができ、またプッシュスイッチの接点部分を覆ってオンオフを確実にできるプッシュオンスイッチ付き回転操作型電子部品を提供することである。
【０００８】
本発明の第４の課題は、ケーシングにプッシュオンスイッチ用の固定接点及び摺動子片を一体に形成して、受け部の操作軸方向の厚みを薄くして装置全体の薄型化を図ることができ、またケーシングをフープ材からインサート成形できるようになり製造工程を簡略化して量産性を高められるプッシュオンスイッチ付き回転操作型電子部品を提供することである。
【０００９】
【課題を解決するための手段】
前記第１の課題は、回転可能に軸支されると共に、軸線方向に移動可能に支持された操作軸と、前記操作軸の回転方向の動作により摺動子片が摺接する導体パターンと、前記摺動子片か前記導体パターンのどちらか一方を設けたケーシングと、前記操作軸に嵌合固定、あるいは一体に形成された駆動体と、前記駆動体とスプライン結合され、前記摺動子片か前記導体パターンのうちの他方を設けた受け部と、前記操作軸の軸線方向の操作によって動作させられるプッシュオンスイッチと、前記プッシュオンスイッチと前記駆動体間に介在し、前記操作軸を初期位置方向に付勢する戻し部材とを備え、前記受け部には前記駆動体が挿通される貫通孔が形成され、該貫通孔は、該貫通孔の上部内周に軸方向に沿って断面が凹状のスプライン溝が形成されたスプライン溝の形成範囲部と、該貫通孔の下部に設けられ前記戻し部材を収納する収納凹部からなり、前記駆動体の外周には前記貫通孔のスプライン溝と係合するように突出したスプライン刃部が形成され、前記戻し部材の上端部を前記貫通孔のスプライン溝の形成範囲部より小径とし、前記操作軸の非押し込み時には、前記受け部の前記収納凹部に収納された前記戻し部材はその上端位置の高さが前記貫通孔の前記スプライン溝の形成範囲部内となるようにした第１の手段により解決される。
【００１０】
前記第２の課題は、第１の手段において、前記ケーシングの中央にプッシュオンスイッチ用の固定接点を一体に形成した第２の手段により解決される。
【００１１】
前記第３の課題は、第１の手段において、戻し部材は円筒状外周縁部がケーシングの円形凹段に嵌め込まれた略円錐形状のゴムラバーからなる第３の手段により解決される。
【００１３】
前記第４の課題は、第１の手段において、前記ケーシングに前記摺動子片を一体に形成した第４の手段により解決される。
【００１４】
【発明の実施の形態】
以下、本発明の実施の形態を図面に基づいて説明する。
図１は本発明の第１の実施の形態に係るプッシュオンスイッチ付き回転操作型電子部品の全体構成を示す縦断面図、図２は図１の摺動子片と導体パターンとの関係を示す説明図、図３は図１のＣＷ回転及びＣＣＷ回転におけるパルス信号を示す図、図４（ａ），（ｂ）は図１のケーシングを示す平面図及び縦断面図、図５は図１のケーシングを示す底面図、図６は図１の可動接点を示す平面図、図７は図１のケーシングをインサート成形する前の摺動子片及び端子を一体成形してあるフープ材を示す説明図、図８（ａ），（ｂ），（ｃ）は図１の可動接点の平面図、正面図及び底面図、図９（ａ），（ｂ）はＢ−Ｂ線に沿った断面図及びＣ−Ｃ線に沿った断面図、図１０は別のパルス数の例での摺動子片と導体パターンとの関係を示す説明図である。
【００１５】
これらの図において、１は操作軸、２は金属製の軸受部材、３は駆動体、４は受け部、５はケーシング、６は戻し部材であるゴムラバー、７は下カバー、８はクリックばねである。
【００１６】
軸受部材２は四角板部分を有し、その四角板の中央が上方に膨出されて凹部４１が設けられると共に、中央に丸い貫通孔が穿設されて軸受部１１とされている。この軸受部１１に挿通されて操作軸１が回転可能に軸支されると共に、軸線方向に移動可能に支持されている。この操作軸１の下端にはすり割部１２が形成されて駆動体３が嵌合固定されている。なお、操作軸１の軸受部材２の下面側には環状溝１３が形成され、環状溝１３に操作軸１の軸受部１１からの抜け止めのための線バネ１４が挟持されている。
【００１７】
駆動体３は底部３９を有する円筒形状に形成されるとともに、その内部の直径方向に刃状部１５が突設され、この刃状部１５が前記操作軸１のすり割部１２に嵌め込まれている。これにより、駆動体３は操作軸１の回転に伴って一体に回転するようになっている。
また、駆動体３の周面にはその直径上の位置でかつ軸方向に沿って一対の複数のスプライン刃部４３，４３が形成され、これらのスプライン刃部４３，４３にそれぞれ嵌め込まれるスプライン溝４４，４４が受け部４の丸孔内周面に形成されて、駆動体３と受け部４はスプライン結合されている。これにより、操作軸１の回転方向の移動は受け部４に伝達されるが、操作軸１の軸線方向の移動は受け部４に伝達されないようになっている。
【００１８】
受け部４は、図８及び図９に示すように、その下端部外周に円板状部１６が延設されており、この円板状部１６の下面側に導体パターン１７が設けられコード板が構成され、また、円板状部１６の上面側に例えば一周に３６個のクリック用の凸凹部１８が設けられている。この円板状部１６は、軸受部材２の凹部４１外であって、軸受部材２とケーシング５とによって構成される密閉空間内に配設されている。そして、クリックばね８が軸受部材２と円板状部１６との隙間に挾み込まれて保持され、クリックばね８が円板状部１６のクリック用の凸凹部１８に弾接されている。また、受け部４の円板状部１６の中央は、スプライン溝の形成された孔に連通した貫通孔とされると共に、ゴムラバー６を収納できるように円錐形状に拡げらた収納凹部４ａとされている。なお、４２は受け部４の下面に突設された環状の当接部で、この当接部４２はケーシング５のケーシング本体２５の上面に突き当たっており、また、受け部４の上面の軸受部材２の下面との間に受け部４は挾み込まれて受け部４の回転時に安定して回転できるように軸方向の移動を規制されている。
【００１９】
クリックばね８はリング板状で直径上を下にして屈曲形成され、その一方の屈曲部に形成した突部８ａが凸凹部１８に弾接されている。また、クリックばね８の屈曲された上縁部から四角枠状の支持板部８ｂが形成され、この支持板部８ｂに位置決め用の小穴（図示せず）が形成されている。支持板部８ｂを軸受部材２とケーシング５との間に挟持すると共に軸受部材２等から突設した位置決めピン（図示せず）を嵌合してある。
これにより、操作軸１を回転させると受け部４も一体に回転し、クリック用の凸凹部１８上をクリックばね８が弾接することで、クリック感を生じると共に１回転の３６分の１づつで停止させることができる。
【００２０】
３６個のクリック用の凸凹部１８に対応して導体パターン１７は形成されている。即ち、導体パターン１７は、図２及び図８（ｃ）に示すように、コモンパターン部１９とコモンパターン部１９と導通した櫛歯状のＡ，Ｂ相パターン部２０，２０…からなっている。Ａ，Ｂ相パターン部２０，２０…間は絶縁部２１，２１…が配設されている。これらのパターン部１９，２０にケーシング５に形成された摺動子片２８，２９，３０が弾接されている。即ち、Ａ相摺動子片２９とＢ相摺動子片３０は図８（ｃ）に一点鎖線で示すＡ，Ｂ相パターン部２０上を摺接され、また、コモン摺動子片２８はそれより内側のコモンパターン部１９上を摺接される。
【００２１】
ケーシング５は、図４及び図５に示すように、絶縁性樹脂等からなる全体に四角板状のケーシング本体２５と、ケーシング本体２５の上面中央に露出されたプッシュオンスイッチ用の第１の固定接点２６と、第１の固定接点２６の周りに円弧状に配設された第２の固定接点２７と、この第２の固定接点２７を中心にして両側に配設されたエンコーダ（あるいはパルススイッチ）用の一対のコモン摺動子片２８，２８と、一対のコモン摺動子片２８，２８の外側に並んで配設されたエンコーダ用のＡ相摺動子片２９とＢ相摺動子片３０とが備えられている。なお、第２の固定接点２７には、３箇所の突起部２７ｂ，２７ｂ，２７ｂが突設されて、後述するプッシュオンスイッチ用可動接点３４のリング部３６が載置されて３点で接触するようになっている。
なお、図５は摺動子片を切断後の状態であるが、図４（ａ）は摺動子片を切断加工していない状態で示してある。
【００２２】
これらのプッシュオンスイッチ用の第１の固定接点２６及び第２の固定接点２７は、ケーシング本体２５の上面の円形凹段部３１に配設され、一方、エンコーダ用の一対のコモン摺動子片２８，２８及びＡ相摺動子片２９及びＢ相摺動子片３０は、ケーシング本体２５の両側縁に沿った開口部３２内に延設されると共に上方に屈曲されて受け部４の円板状部１６の導体パターン１７に圧接されている。
また、第１の固定接点２６及び第２の固定接点２７からそれぞれ引き回されてケーシング本体２５の一側面に引き出し端子部２６ａ，２７ａが引き出され、また、コモン摺動子片２８，２８及びＡ相摺動子片２９及びＢ相摺動子片３０からそれぞれ引き回されてケーシング本体２５の他側面に引き出し端子部２８ａ，２９ａ，３０ａが引き出されている。なお、３３は後述するプッシュオンスイッチ用可動接点３４の位置決め突片３５，３５を嵌め込む嵌合凹部である。また一対のコモン摺動子片２８，２８は１つの引き出し端子部２８ａに接続されている。
【００２３】
本実施の形態では、図２に示すように３６クリック、１８パルスであるが、図１０に示す１８クリック、９パルス等、各種設定してもよい。
【００２４】
ここで、各摺動子片と導体パターンとの関係について図２及び図１０等を参照して説明する。
前述したように、受け部４の導体パターン１７は、図２及び図８（ｃ）に示すように、コモンパターン部１９とコモンパターン部１９と導通した櫛歯状のＡ，Ｂ相パターン部２０，２０…からなっている。そしてリング状のコモンパターン部１９のほぼ直径上でそれぞれ接するように一対のコモン摺動子片２８，２８が配設されている。また、右のコモン摺動子片２８に並んで右側でＡ，Ｂ相パターン部２０，２０…に接するようにＡ相摺動子片２９が配設され、また、左のコモン摺動子片２８に並んで左側でＡ，Ｂ相パターン部２０，２０…に接するようにＢ相摺動子片３０が配設されている。そして、所定の位相差、例えばＴ／４の位相差のパルス信号を得られるようにＡ相摺動子片２９及びＢ相摺動子片３０がＡ，Ｂ相パターン部２０に対して配設されており、これにより、図３に示すパルス信号を得られる。この図３は上段にＣＷ回転、下段にＣＣＷ回転におけるＡ，Ｂ相パルス信号を示してあり、Ａ−Ｃ間はＡ相摺動子とコモン摺動子片間のＡ相パルス信号、Ｂ−Ｃ間はＡ相摺動子とコモン摺動子片間のＢ相パルス信号である。
【００２５】
ここで、Ａ相摺動子片２９及びＢ相摺動子片３０のＡ，Ｂ相パターン部２０に対する配置について更に詳しく説明する。
Ａ相摺動子片２９及びＢ相摺動子片３０は同一形状に形成され、かつＡ相摺動子片２９及びＢ相摺動子片３０の導体パターン１７との各接触部を結ぶ線Ｌ１を、Ａ相摺動子片２９及びＢ相摺動子片３０のケーシング５の基端部を結ぶ線Ｌ２と平行な操作軸１の回転中心を通る線Ｌ３から所定の間隔ｄを置いて平行に配置しててある。
この間隔ｄは所定の位相差等に応じて次のように求められる。
ここで、エンコーダ（あるいはパルススイッチ）において、デューティー比を５０％、位相差をＴ／４とし、
また、Ｔ：周期、Ｎ：０，１，２，３・・・の任意の数字、Ａ：パルスの数、Ｒ：接点の接触する位置のコード板の半径とすると、基準位置においては、偶数のパルスの場合位相差はなく、奇数のパルスの場合Ｔ／２の位相差となるので、いずれの場合も、（ＮＴ／２）±Ｔ／８に相当する位相分だけ片側の接点で基準位置からシフトさせればよいこととなる。ところで、３６０°／Ａが１周期の角度に相当するから、これは角度にすると
（３６０／Ａ）×（（ＮＴ／２）±Ｔ／８）に相当するので
距離ｄ＝Ｒ×ｓｉｎ｛（３６０／Ａ）×（（ＮＴ／２）±Ｔ／８）｝
となる。
したがって、Ａ相摺動子片２９及びＢ相摺動子片３０の導体パターン１７との各接触部を結ぶ線Ｌ１は、操作軸１の回転中心を通る線Ｌ３から平行に距離ｄだけ離れた位置に設定すればよい。
例えば、図１０に示すエンコーダのように、９パルス、Ｒ＝６、Ｎ＝０と設定したとき、上記｛｝内は５°に相当して距離ｄ＝０．５２となる。なお、図１０（及び図２）にて、Ｏは回転中心、ｒは回転中心ＯとＡ，Ｂ相摺動子片２９，３０の導体パターン１７との接触点を結んだ線であり、つまり、前記５°はｒとＬ３とのなす角度である。
【００２６】
なお、本実施の形態では、Ａ相摺動子片２９及びＢ相摺動子片３０の導体パターン１７との各接触部を結ぶ線Ｌ１と、一対のコモン摺動子片２８，２８の導体パターン１７との各接触部を結ぶ線と平行に離れているが、図１１に示すように、一対のコモン摺動子片２８，２８もＡ相摺動子片２９及びＢ相摺動子片３０と同一形状に形成して線Ｌ１上に一対のコモン摺動子片２８，２８の導体パターン１７との各接触部を配置してもよい。
【００２７】
プッシュオンスイッチ用可動接点３４は、図６に示すように、リング部３６と、リング部３６の中心にかつ斜め上方に向かって延設され、その先端下方に突出した接触点部３７ａを有する可動接点片部３７と、リング部３６の外周縁から外方へ向かって延設された位置決め突片３５，３５とからなっている。このプッシュオンスイッチ用可動接点３４は、そのリング部３６上にゴムラバー６の下端面６ａが載置されており、これによりゴムラバー６による弾性力がリング部３６上面から加わってリング部３６下面と第２の固定接点２７の突起部２７ｂとを圧接させ、常時確実に導通している。
【００２８】
ゴムラバー６はほぼ円錐形状に形成され、その周縁部の下面を平坦に形成した下端面６ａと、外周縁を円筒外周面状に形成してケーシング本体２５の円形凹段部３１に嵌め込まれる外周縁部６ｂと、その頂部に形成され、駆動体３の底部３９が突き当てられる平坦面部６ｃと、その頂部の内部に形成され、プッシュオンスイッチ用可動接点３４の可動接点片部３７に離接する可動面部６ｄのとからなつている。
【００２９】
ここで、このような図４及び図５に示すケーシング５の製造方法を説明する。まず、図７に示すように、フープ状の金属板４０を図示しないプレス装置に供給し、第１の固定接点２６、第２の固定接点２７、コモン摺動子片２８，２８及びＡ相摺動子片２９及びＢ相摺動子片３０や引き出し端子部２６ａ，２７ａ，２８ａ，２９ａ，３０ａ等の外形形状をブランク加工すると共に、丸孔３８を打ち抜き加工し、また、第２の固定接点２７の突起部２７ｂを突き出し加工し、次いで、コモン摺動子片２８，２８及びＡ相摺動子片２９及びＢ相摺動子片３０や引き出し端子部２６ａ，２７ａ，２８ａ，２９ａ，３０ａを所定形状にフォーミングした後、この金属板４０を図示しない成形装置に供給し、第１の固定接点２６、第２の固定接点２７、コモン摺動子片２８，２８及びＡ相摺動子片２９及びＢ相摺動子片３０等に対して溶融樹脂を射出してケーシング本体２５をインサート成形する。その際、前述したように、ケーシング本体２５の上面に円形凹段部３１と各開口部３２，３２が形成される。次いで、コモン摺動子片２８，２８及びＡ相摺動子片２９及びＢ相摺動子片３０及び引き出し端子部２６ａ，２７ａ，２８ａ，２９ａ，３０ａを金属板４０から切離し（切断線Ｆ）、所定形状に折り曲げた後に、ケーシング本体２５と金属板４０を繋ぐ橋絡部４０ａを切断することにより、前述の如く構成されたケーシング５が得られる。
【００３０】
なお、前記下カバー７とケーシング５は一体化されてケーシング５の金型成形の際に必要な孔４５，４５を塞いでおり、また、ケーシング５の上面に軸受部材２が積層・一体化されている。
【００３１】
次に、プッシュオンスイッチの動作について説明する。
非押し込み時には、図１に示すように、操作軸１はゴムラバー６によって駆動体３を介して線バネ１４が軸受部材２の下面に突き当たる位置まで押し上げられている。なお、クリックばね８が円板状部１６のクリック用の凸凹部１８の凹に弾接されており、また、コモン摺動子片２８，２８及びＡ相摺動子片２９及びＢ相摺動子片３０は、図２に示すように、導体パターン１７に接している。
このような図１の状態から操作軸１の軸方向の押し込み動作、つまり押し下げると、操作軸１の下端に固定された駆動体３の底部３９によりゴムラバー６を押圧して反転させる。このゴムラバー６の押圧反転によりクリック感を生じると共に、操作軸１と共に可動面部６ｄも下降し、プッシュオンスイッチ用可動接点３４の可動接点片部３７に突き当たって弾力に抗して可動接点片部３７を押し下げ、可動接点片部３７を下方の第１の固定接点２６に接触させてプッシュオンスイッチがオンされる。
【００３２】
この操作軸１の押し下げ動作の際、操作軸１の下端に固定された駆動体３は受け部４とスプライン結合されているので、操作軸１はスムーズに下動（あるいは上動）でき、かつ受け部４を回転させることがなくて誤パルスが発生することもない。
【００３３】
そして、ゴムラバー６に対する操作軸１の押圧力が除去されると、ゴムラバー６が元に戻ると共に可動接点片部３７も第１の固定接点２６から離反してプッシュオンスイッチがオフとなる。
【００３４】
次に、エンコーダの動作について説明する。
図１の状態で操作軸１を回転させると、駆動体３を介してスプライン結合されている受け部４も一体に回転する。この回転の際、受け部４はクリックばね８とクリック用の凸凹部１８とにより凹位置で保持される。
そして、受け部４の回転により導体パターン１７上を固定状態の一対のコモン摺動子片２８，２８及びＡ相摺動子片２９とＢ相摺動子片３０が摺接される。この場合、Ａ相パターンとＢ相パターンとは互いの位相が４分の１ピッチ（Ｔ／４）ずらしてある。したがって、コモンパターン部１９に接触しているコモン摺動子片２８と、受け部４の回転に伴いＡ，Ｂ相パターン部２０上を摺接するＡ相摺動子片２９とにより、Ａ，Ｂ相パターン部２０の導体に接触する毎に発生するパルス信号を出力させることができ、同様に、コモンパターン部１９に接触しているコモン摺動子片２８と、受け部４の回転に伴いＡ，Ｂ相パターン部２０上を摺接するＢ相摺動子片３０とにより、Ａ，Ｂ相パターン部２０の導体に接触する毎に発生するパルス信号を出力させることができるので、図３に示すような位相のずれた２つのパルス信号（Ａ，Ｂ相）を取り出すことができる。その結果、パルス信号の数をカウントすることによって回転角信号が得られると共に、２つのパルス信号の差信号から回転方向信号が得られるようになっている。なお、図３は上段にＣＷ回転時、下段にＣＣＷ回転時の２つのパルス信号をそれぞれ示し、また、破線はクリック位置を示している。
【００３５】
なお、前記実施の形態に限らず、導体パターン１７（コード板）を固定して摺動子片を回転させるタイプにも適用できる。また、前記実施の形態では、操作軸１と駆動体３を別体として説明したが、駆動体を操作軸１に一体に形成してもよく、この場合は操作軸１の上部を太くせずに軸受部材２の軸受部１１に操作軸１の上部から挿入できる太さにすればよい。
【００３６】
このような前記実施の形態にあっては、回転可能に軸支されると共に、軸線方向に移動可能に支持された操作軸１と、操作軸１の回転方向の動作により摺動子片２８，２９，３０が摺接する導体パターン１７と、摺動子片２８，２９，３０か導体パターン１７のどちらか一方を設けたケーシング５と、操作軸１とスプライン結合され、摺動子片２８，２９，３０か導体パターン１７のうちの他方を設けた受け部４と、操作軸１の軸線方向の操作によって動作させられるプッシュオンスイッチ（２６，２７，３４）と、受け部４の摺動子片２８，２９，３０もしくは導体パターン１７を設けた面に形成した収納凹部４ａと、収納凹部４ａに収納し、かつプッシュオンスイッチ（２６，２７，３４）と操作軸１間に介在し、操作軸１を初期位置方向に付勢するゴムラバー６と備えたため、受け部４の収納凹部４ａにゴムラバー６を収納して、操作軸１の軸線方向の厚みを薄くして装置全体の薄型化を図ることができる。
【００３７】
また、前記実施の形態にあっては、ケーシング５の中央にプッシュオンスイッチ用の第１，２の固定接点２６，２７を一体に形成したため、受け部４の収納凹部４ａにゴムラバー６を収納に加え、更にケーシング５にプッシュオンスイッチ用の第１，２の固定接点２６，２７も一体成形して、操作軸１の軸線方向の厚みを更に薄くして装置全体の一層の薄型化を図ることができ、更に部品点数を削減しかつ組込工程も簡略化できる。
【００３８】
また、前記実施の形態にあっては、戻し部材はドーム型のゴムラバー６からなるため、受け部４の操作軸１の軸線方向の厚みを薄くして装置全体の薄型化を図ることができ、またプッシュオンスイッチの接点（２６，２７，３４）部分を覆ってオンオフを確実にできる。
【００３９】
また、前記実施の形態にあっては、摺動子片２８，２９，３０か摺動子片２８，２９，３０が離接される導体パターン１７のどちらか一方を設けたケーシング５と、回転可能に軸支されると共に、軸線方向に移動可能に支持され、摺動子片２８，２９，３０か摺動子片２８，２９，３０が離接される導体パターン１７のうちの他方を設けた操作軸１と、操作軸１の軸線方向の操作によって動作させられるプッシュオンスイッチ（２６，２７，３４）と、ケーシング５の中央に一体に形成したプッシュオンスイッチ用の第１，２の固定接点２６，２７とを備えてあり、操作軸１の回転方向の動作により、摺動子片２８，２９，３０と導体パターン１７が摺接するようにしたため、ケーシング５にプッシュオンスイッチ用の第１，２の固定接点２６，２７も共用して一体成形して、別個にプッシュオンスイッチ用の第１，２の固定接点２６，２７用のケーシングを設ける必要がなくなり操作軸１の軸線方向の厚みを薄くできて装置全体の薄型化を図ることができ、また部品点数を削減しかつ組込工程も簡略化できる。
【００４０】
また、前記実施の形態にあっては、ケーシング５に摺動子片２８，２９，３０を一体に形成したため、ケーシング５にプッシュオンスイッチ用の第１，２の固定接点２６，２７及び摺動子片２８，２９，３０を一体に形成して、受け部４の操作軸１の軸線方向の厚みを薄くして装置全体の薄型化を図ることができ、またケーシング５を金属板（フープ材）４０からインサート成形できるようになり製造工程を簡略化して量産性を高められる。
【００４１】
【発明の効果】
請求項１記載の発明によれば、受け部の収納凹部に収納した戻し部材はその上端位置の高さが貫通孔のスプライン溝の形成範囲部内となるようにして、操作軸の軸線方向の厚みを薄くして装置全体の薄型化を図ることができる。
【００４２】
請求項２記載の発明によれば、受け部の収納凹部に戻し部材を収納に加え、更にケーシングにプッシュオンスイッチ用の固定接点も一体成形して、操作軸の軸線方向の厚みを更に薄くして装置全体の一層の薄型化を図ることができ、更に部品点数を削減しかつ組込工程も簡略化できる。
【００４３】
請求項３記載の発明によれば、受け部の操作軸の軸線方向の厚みを薄くして装置全体の薄型化を図ることができ、またプッシュオンスイッチの接点部分を覆ってオンオフを確実にできる。
【００４５】
請求項４記載の発明によれば、ケーシングにプッシュオンスイッチ用の固定接点及び摺動子片を一体に形成して、受け部の操作軸の軸線方向の厚みを薄くして装置全体の薄型化を図ることができ、またケーシングをフープ材からインサート成形できるようになり製造工程を簡略化して量産性を高められる。
【図面の簡単な説明】
【図１】本発明の第１の実施の形態に係るプッシュオンスイッチ付き回転型電子部品の全体構成を示す縦断面図である。
【図２】図１の摺動子片と導体パターンとの関係を示す説明図である。
【図３】図１のＣＷ回転及びＣＣＷ回転におけるパルス信号を示す図である。
【図４】（ａ），（ｂ）は図１のケーシングを示す平面図及び縦断面図である。
【図５】図１のケーシングを示す底面図である。
【図６】図１の可動接点を示す平面図である。
【図７】図１のケーシングをインサート成形する前の摺動子片及び端子を一体成形してあるフープ材を示す説明図である。
【図８】（ａ），（ｂ），（ｃ）は図１の可動接点の平面図、正面図及び底面図である。
【図９】（ａ），（ｂ）はＢ−Ｂ線に沿った断面図及びＣ−Ｃ線に沿った断面図である。
【図１０】別のパルス数の例での摺動子片と導体パターンとの関係を示す説明図である。
【図１１】本発明の第２の実施の形態に係るプッシュオンスイッチ付き回転型電子部品の摺動子片と導体パターンとの関係を示す説明図である。
【図１２】従来のプッシュオンスイッチ付き回転型電子部品の全体構成を示す縦断面図である。
【符号の説明】
１  操作軸
４  受け部
４ａ  収納凹部
５  ケーシング
６  ゴムラバー
１７  導体パターン
２６  第１の固定接点
２７  第２の固定接点
２８  コモン用摺動子片
２９  Ａ相摺動子片
３０  Ｂ相摺動子片
Ｌ１，Ｌ２，Ｌ３  線
【図１】
0003589269.tif 000002
【図２】
0003589269.tif 000003
【図３】
0003589269.tif 000004
【図４】
0003589269.tif 000005
【図５】
0003589269.tif 000006
【図６】
0003589269.tif 000007
【図７】
0003589269.tif 000008
【図８】
0003589269.tif 000009
【図９】
0003589269.tif 000010
【図１０】
0003589269.tif 000011
【図１１】
0003589269.tif 000012
【図１２】
0003589269.tif 000013